(57)【要約】【課題】  誘導加熱調理器のロースター部において、ロースター扉部を所定の位置に正確に配置できるように位置決めを行うことである。【解決手段】  誘導加熱調理器は、本体内に配設されたロースター部４と、このロースター部４の前面窓口部を構成する前面枠２０と、窓口部を覆う扉８とを備え、この扉８は、扉８に配設された持ち手と前面枠２０との契合により扉８の前後および左右の位置が所定の位置に正確に位置決めされてなる。【選択図】        図３
2005346967.tif 000002
【特許請求の範囲】
【請求項１】
本体内に配設されたロースター部と、前記ロースター部の前面窓口部を構成する前面枠と、窓口部を覆う扉部とを備え、前記扉部は、前記扉部に配設された持ち手と前記前面枠との契合により扉の前後および左右の位置が所定の位置に正確に位置決めされてなる、誘導加熱調理器。
【請求項２】
前記扉部とロースター受け皿とが形成する角度を９０°よりも５°以内で小さい鋭角にして扉部とロースター受け皿とが連結されてなる、請求項１に記載の誘導加熱調理器。
【請求項３】
前記前面枠は、前記ロースター部の前面窓口部を構成し、かつ、前面操作パネルの取り付け部を有してなる、請求項１に記載の誘導加熱調理器。
【請求項４】
前記前面枠は、前記ロースター部の前面窓口部を構成し、かつ、前面操作パネルの取り付け部および上下左右の飾り枠の取り付け部を有してなる、請求項１に記載の誘導加熱調理器。
【発明の詳細な説明】
【技術分野】
【０００１】
本発明は、一般的には誘導加熱調理器に関し、特定的には一般家庭で使用する誘導加熱調理器のロースター部の扉部に関するものである。
【背景技術】
【０００２】
従来、この種のロースター部は、たとえば、特開平１１−１２１１６３号公報（特許文献１）に記載されているように、誘導加熱調理器は、被加熱調理容器を載置する天板と、天板の下方に位置し被加熱調理容器を加熱する加熱ユニットと、加熱ユニットの下方に位置するロースター部と、本体外郭を構成する外郭ケースとからなる。ロースター部は、前面に開口を有する調理庫と、調理庫内の調理中の煙等を排気する排気筒と、調理庫の開口に開閉自在に設けた扉と、調理庫内に配設され扉と連結される受け皿と、受け皿の上方に位置し魚等の調理物を加熱するヒーターユニットとによって構成される。扉を閉めた場合の扉の位置は入れたままの位置で、扉と連結される受け皿の自重のみによって保持されるものである。
【特許文献１】特開平１１−１２１１６３号公報
【発明の開示】
【発明が解決しようとする課題】
【０００３】
しかしながら、このような従来の構造のものでは、扉と連結される受け皿との取り付けバラツキにより、扉と調理庫とに隙間が発生しやすく、かかる隙間から煙漏れや、熱気漏れを助長しやすいという課題があった。
【０００４】
また、ロースター部に受け皿をスライドしながら挿入するにはかなりの隙間が必要であるため、操作パネルとの隙間が大きく、またバラツキもあるという課題があった。
【０００５】
そこで、本発明の目的は、以上の課題を解決するものであり、ロースター部からの煙漏れや、熱気漏れを極力少なくするとともに、外観パーツ間の間隔を所定の間隔に保つようにした誘導加熱調理器を提供することである。
【課題を解決するための手段】
【０００６】
この課題を解決するために本発明は、ロースター部窓口を形成する前面枠とロースター扉部の持ち手を契合させることにより、ロースター扉部を所定の位置に正確に位置決めする構成とするものである。
【０００７】
この発明に従った誘導加熱調理器は、本体内に配設されたロースター部と、このロースター部の前面窓口部を構成する前面枠と、窓口部を覆う扉部とを備え、この扉部は、扉部に配設された持ち手と上記の前面枠との契合により扉の前後および左右の位置が所定の位置に正確に位置決めされてなる。
【０００８】
この発明に従った誘導加熱調理器によれば、本体内に配設されたロースター部と、このロースター部の前面窓口部を構成する前面枠と、窓口部を覆う扉部とを備え、この扉部は、扉部に配設された持ち手の凸部と前面枠凹部の乗り越えによって扉部を前後に係止するとともに、持ち手の凸部を前面枠穴部に挿入することにより、扉の前後および左右の位置を所定の位置に正確に位置決めを行い、扉と調理庫との密閉性を常に一定に保ち、扉からの熱気漏れをなくし、またロースター扉と前面操作パネルや他の周辺に位置する部材との間隔を所定の隙間に一定に保たせることにより、高級感のある誘導加熱調理器を提供することができる。
【０００９】
この発明の誘導加熱調理器において、扉部とロースター受け皿とが形成する角度を９０°よりも５°以内で小さい鋭角にして扉部とロースター受け皿とが連結されてなるのが好ましい。
【００１０】
このように扉部とロースター受け皿が形成する角度を鋭角にすることにより、扉部下部に配設された持ち手の係止が下部のみにも関わらず、ロースター受け皿の重みにより扉部上部も前面枠に密に接触するようになる。
【００１１】
この発明の誘導加熱調理器において、前面枠は、ロースター部の前面窓口部を構成し、かつ、前面操作パネルの取り付け部を有してなるのが好ましい。
【００１２】
このように前面枠は、ロースター部の前面窓口部を構成し、かつ、扉の前後および左右の位置を所定の位置に位置決めするのみならず、前面操作パネル部の取り付け部を有することにより、扉部と前面操作パネル部とを所定の位置関係に容易に保つことができる。
【００１３】
この発明の誘導加熱調理器において、前面枠は、ロースター部の前面窓口部を構成し、かつ、前面操作パネルの取り付け部および上下左右の飾り枠の取り付け部を有してなる。
【００１４】
このように前面枠は、ロースター部の前面窓口部を構成し、かつ、扉の前後および左右の位置を所定の位置に位置決めするのみならず、前面操作パネルの取り付け部及び上下左右の飾り枠の取り付け部を有することにより、前面外観部材のすべてが前面枠に配設され、前面外観部材相互の位置関係を容易に保つことができる。
【発明の効果】
【００１５】
以上のように、この発明によれば、誘導加熱調理器のロースター部において、ロースター扉部を所定の位置に正確に配置できるように位置決めを行うことができる。
【発明を実施するための最良の形態】
【００１６】
以下、本発明の一つの実施形態について、図面を参照して説明する。
【００１７】
図１は、本発明の一つの実施の形態を示す誘導加熱調理器をキッチンユニットに組み込んだ状態をあらわす斜視図である。図２は図１に示す誘導加熱調理器のみをあらわす斜視図である。
【００１８】
図２に示すように、上部には天板２が配され、その後部には排気口カバー１２がある。前方正面にはロースターの扉８、操作パネル１１が配され、その周りには上飾り１３、下飾り１４、右飾り１５、及び左飾り１６が配されている。
【００１９】
図３は、この発明の一つの実施の形態を示す誘導加熱調理器のロースター部の概略図である。
【００２０】
図３に示すように、誘導加熱調理器のロースター部は、本体外郭を構成する外郭ケース５と、前面に開口を有する調理庫６と、調理庫６内の調理中の煙等を排気する排気筒７と、調理庫６の開口に開閉自在に設けた扉８と、調理庫６内に配設され扉８と連結される受け皿９と、その上方に位置し魚等の調理物を加熱するロースター加熱ユニット１０とによって構成される。扉８は、持ち手１７とガラス１８と扉枠１９とによって構成される。持ち手１７の凸部１７ａをロースター部の前面窓口部を構成する前面枠２０の扉係止用穴部２０ａに挿入することにより、持ち手の凸部１７ａが前面枠穴部２０ａを乗り越えることによって扉８を前後に係止するものである。
【００２１】
図４は、図３の扉係止部の拡大図である。
【００２２】
図５は、図３の扉係止部を底部から見た図である。図５に示すように、扉の係止が前後のみならず、左右にも大きく動かないようになっている。
【００２３】
図６、図７は、この発明のもう一つの実施の形態を示す誘導加熱調理器のロースター部の概略図である。扉部８とロースター受け皿９が形成する角度を９０°よりも鋭角としているため、扉部８を閉じていくと扉部８は上部で前面枠２０に当たり、さらに閉じていくと、図７に示すようにロースター受け皿９の先端が持ち上がりながら閉じ、持ち手の凸部１７ａと前面枠穴部２０ａの乗り越えによって扉８が前後に係止される。持ち手１７を離すと、ロースター受け皿９は下向き矢印で示すように自重で下に下がり、その力が扉部８を前面枠２０に密に接触させる力となる。
【００２４】
図８は、この発明のさらにもう一つの実施の形態を示す誘導加熱調理器の分解斜視図である。図８に示すように、本体前方正面には前面枠２０がかぶさり、前面枠２０にはロースターの扉８、操作パネル１１が配され、その周りには上飾り１３、下飾り１４、右飾り１５、および左飾り１６が配されている。２０ａは扉係止用穴部、２０ｂは上飾り取り付け用爪、２０ｃは下飾り取り付け用穴、２０ｄは右飾り取り付け用穴、２０ｅは左飾り取り付け用穴、２０ｆは操作パネル取り付け用穴である。
【００２５】
以上のように構成された誘導加熱調理器について、その作用を説明する。魚等の調理物を受け皿９の上に載せ、ロースター加熱ユニット３に通電し加熱すると、調理物より煙が発生する。通常、排気筒７によって煙は排気されるが、扉８と調理庫６の隙間が広く開いている場合は、扉部より煙漏れが発生する。しかし、本構成によれば、扉部に配設された持ち手の凸部と前面枠凹部の乗り越えによって扉部を前後に係止するとともにロースター受け皿９は自重で扉部８を前面枠２０に密接させ、扉８と調理庫６との密閉性が保たれるため、扉部より煙漏れが発生することがなく、調理庫６内の温度上昇とともに上昇気流によって排気筒７に煙は流れる。
【００２６】
また、前面枠２０は、扉の前後および左右の位置を所定の位置に位置決めするのみならず、前面操作パネルの取り付け部及び上下左右の飾り枠の取り付け部を有することにより、前面外観部材のすべてが前面枠に配設され、前面外観部材相互の位置関係を容易に保つことができる。
【００２７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００２８】
【図１】本発明の一つの実施の形態において組み込み状態の誘導加熱調理器を示す斜視図である。
【図２】本発明の一つの実施の形態の誘導加熱調理器を示す外観斜視図である。
【図３】本発明の一つの実施の形態の誘導加熱調理器のロースター部を示す概略図である。
【図４】図３の扉係止部を示す拡大図である。
【図５】図３の扉係止部を底部から見た図である。
【図６】本発明のもう一つの実施の形態の誘導加熱調理器のロースター部を示す概略図である。
【図７】本発明のもう一つの実施の形態の誘導加熱調理器のロースター部を示す概略図である。
【図８】本発明のさらにもう一つの実施の形態の誘導加熱調理器を示す分解斜視図である。
【符号の説明】
【００２９】
１：被加熱調理容器
２：天板
３：加熱ユニット
４：ロースター部
５：外郭ケース
６：調理庫
７：排気筒
８：扉
９：受け皿
１０：ロースター加熱ユニット
１１：操作パネル
１２：排気口カバー
１３：上飾り
１４：下飾り
１５：右飾り 
１６：左飾り
１７：持ち手
１８：ガラス
１９：扉枠
２０：前面枠
１７ａ：持ち手凸部
２０ａ：扉係止用穴部
２０ｂ：上飾り取り付け用爪
２０ｃ：下飾り取り付け用穴
２０ｄ：右飾り取り付け用穴
２０ｅ：左飾り取り付け用穴
２０ｆ：操作パネル取り付け用穴
【図１】
2005346967.tif 000003
【図２】
2005346967.tif 000004
【図３】
2005346967.tif 000005
【図４】
2005346967.tif 000006
【図５】
2005346967.tif 000007
【図６】
2005346967.tif 000008
【図７】
2005346967.tif 000009
【図８】
2005346967.tif 000010